(57)【要約】【課題】携帯可能であり、ＩＣカード内に記録されている情報を簡便にかつ随時読み取ることを可能とするカードホルダーを提供する。【解決手段】ＩＣカード１７が保持されるホルダー本体２に、アンテナと、アンテナに接続された信号処理部と、信号処理部により読み出された信号を表示する表示装置と、信号処理部及び表示装置を駆動するためのバッテリーとが設けられている、カードホルダー１。【選択図】図３
2007102280.tif 000002
【特許請求の範囲】
【請求項１】
ＩＣカードに記録されている情報を読み出し、表示することを可能とする携帯型のカードホルダーであって、
ＩＣカードが保持されるホルダー本体と、
前記ホルダー本体に設けられたアンテナと、
前記ホルダー本体に設けられており、前記アンテナに接続された信号処理部と、
前記ホルダー本体に設けられており、前記信号処理部により読み出された信号を表示する表示装置と、
前記信号処理部及び表示装置を駆動するために前記ホルダー本体内に設けられた電源とを備える、カードホルダー。
【請求項２】
前記ホルダー本体にＩＣカードが保持されている状態で、該ＩＣカード内の情報を読み出し及び／または記録するリーダ・ライターとの間で情報の読み出し及び／または記録が行われるように、前記ホルダー本体にＩＣカードが保持される、請求項１に記載のカードホルダー。
【請求項３】
前記表示装置が、前記ホルダー本体の外側の面に設けられている、請求項１または２に記載のカードホルダー。
【請求項４】
前記表示装置が有機エレクトロルミネッセント表示素子、電気泳動型表示素子または液晶表示素子である、請求項１〜３のいずれか１項に記載のカードホルダー。
【請求項５】
前記ホルダー本体に設けられた前記アンテナと、ホルダー本体に保持されたＩＣカードのアンテナとの間に前記電源が配置されないように、前記ホルダー本体に前記アンテナが設けられている、請求項１〜４のいずれか１項に記載のカードホルダー。
【請求項６】
前記ホルダー本体に設けられたアンテナと、前記ＩＣカードのアンテナとが、前記ＩＣカードがホルダー本体に保持された状態で対向し合うように、前記ホルダー本体に前記アンテナが設けられている、請求項５に記載のカードホルダー。
【請求項７】
前記信号処理部がメモリを有し、前記ＩＣカード内に記録されている情報を読み出すに際し、前記信号処理部の前記メモリに情報の一部が一旦転送されるように構成されている、請求項１〜６のいずれか１項に記載のカードホルダー。
【請求項８】
前記信号処理部の前記メモリに転送された情報が選択的に前記表示装置により表示されるように信号処理部が構成されている、請求項７に記載のカードホルダー。
【請求項９】
前記ホルダー本体に、携帯用に孔が設けられている、請求項１〜８のいずれか１項に記載のカードホルダー。
【発明の詳細な説明】
【技術分野】
【０００１】
本発明は、ＩＣカード内に記録されている情報を読み取ることを可能とするカードホルダーに関し、より詳細には、携帯可能であり、ＩＣカードを保持した状態で記録されている情報を読み取り、表示することを可能とする、カードホルダーに関する。
【背景技術】
【０００２】
近年、鉄道等の乗車券として、非接触式のＩＣカードが広く用いられてきている。ＩＣカードは、大きくは、接触型のＩＣカードと非接触型のＩＣカードとに分けられる。非接触型のＩＣカードでは、リーダに近づけるだけで、ＩＣカードとリーダとの間でデータの送受信が可能である。そのため、使用の度に、財布等からＩＣカードを取り出す必要がなく、利便性及び安全性に優れている。従って、従来の磁気カードから非接触式のＩＣカードへの転換が進んでいる。
【０００３】
ＩＣカードは、カード内に半導体チップを埋め込んだ構造を有する。さらに、非接触式のＩＣカードでは、リーダやライターとのデータの送受信を行うために、アンテナコイルが搭載されている。
【０００４】
主流となっている非接触式のＩＣカードは、近接型と称されているＩＣカードである。近接型のＩＣカードでは、リーダ及び／またはライターとの間の距離が約１０ｃｍまでであれば、データの送受信が可能である。また、通信方式により、「ＴｙｐｅＡ」、「ＴｙｐｅＢ」、「Ｆｅｌｉｃａ」の３種類に分類されるが、鉄道の乗車券等においては、「Ｆｅｌｉｃａ」方式が主として用いられている。「Ｆｅｌｉｃａ」方式では、搬送波の周波数は１３．５６ＭＨｚ、符号化方式はマンチェスタ方式、通信速度は２００ｋｂｐｓであり、独自のプロトコルが用いられている。
【０００５】
この種の非接触式ＩＣカードでは、通常、合成樹脂からなるカード基材中に半導体チップ及びアンテナコイルが埋設されており、半導体チップには、ＣＰＵ、コプロセッサ、ＲＯＭ、ＲＡＭ、ＥＥＰＲＯＭ及びインターフェースなどが内蔵されている。
【０００６】
ＩＣカードに記録されたデータを呼び出し、表示あるいは書き込むためには、リーダ及び／またはライターといった装置が必要である。リーダ及び／またはライターは、別の処理装置に接続されており、ＩＣカード内の情報を表示したり、書き換えたりすることを可能とする。もっとも、リーダ及び／またはライターだけでは、ＩＣカード内の情報を表示することはできず、ＰＣなどの演算処理装置と、表示装置としてのモニターをさらに用意しなければならない。
【０００７】
また、ＩＣカードの半導体チップに記録されている情報は、ＩＣカード自体の表面に表示されることはない。鉄道の乗車券として用いられている非接触式のＩＣカードでは、使用可能残高や使用履歴等がＩＣカード内に記録されているが、これらの情報はカード自体には表示されない。そのため、ユーザーは、駅などに設置されている専用の装置にＩＣカードを近づけねば、使用可能残高を知ることはできなかった。
【０００８】
上記のように、ＩＣカード内の情報は、専用の装置がなければ読み出すことができなかった。そこで、下記の特許文献１には、記録されている情報を表示し得る有機ＥＬ表示部が表面に設けられているＩＣメディアが開示されている。
【特許文献１】特開２００４−５２６０号
【発明の開示】
【発明が解決しようとする課題】
【０００９】
特許文献１に記載のＩＣメディアでは、紙や合成樹脂などの耐熱性が低い材料からなる安価なシート基材を用いて製造し得るので、有機ＥＬ表示部を有するＩＣメディアを安価に製造し得ることができるとされている。
【００１０】
しかしながら、有機ＥＬ表示部により、ＩＣメディア内の情報を表示させるには、有機ＥＬ表示部だけでなく、表示部を駆動する駆動回路、さらにバッテリーをＩＣメディア内に内蔵させねばならず、安価に製造することは困難であった。
【００１１】
また、バッテリー等の電源、あるいはリーダ及び／またはライターと送受信を行うためのアンテナに誘電される起電力等により有機ＥＬ表示素子を発光させるとしているが、現実には、ある程度の電流と電圧とを有するバッテリーを内蔵させねば有機ＥＬ表示素子を発光させることは不可能である。従って、汎用されている８００μｍ程度の厚みの薄いＩＣカードに、このようなバッテリーを搭載することは困難であった。
【００１２】
本発明の目的は、上述した従来技術の現状に鑑み、ＩＣカードに記録されている情報を表示でき、かつＩＣカードの利便性を損なうことなく、ＩＣカードの携帯を可能とするカードホルダーを提供することにある。
【課題を解決するための手段】
【００１３】
本発明によれば、ＩＣカードに記録されている情報を読み出し、表示することを可能とする携帯型のカードホルダーであって、ＩＣカードが保持されるホルダー本体と、前記ホルダー本体に設けられたアンテナと、前記ホルダー本体に設けられており、前記アンテナに接続された信号処理部と、前記ホルダー本体に設けられており、前記信号処理部により読み出された信号を表示する表示装置と、前記信号処理部及び表示装置を駆動するために前記ホルダー本体内に設けられた電源とを備える、カードホルダーが提供される。
【００１４】
本発明に係るカードホルダーのある特定の局面では、前記ホルダー本体にＩＣカードが保持されている状態で、該ＩＣカード内の情報を読み出し及び／または記録するリーダ・ライターとの間で情報の読み出し及び／または記録が行われるように、前記ホルダー本体にＩＣカードが保持されている。
【００１５】
上記表示装置は、好ましくは、上記ホルダー本体の外側面に設けられている。
【００１６】
本発明のカードホルダーにおける上記表示装置は、特に限定されないが、有機ＥＬ表示素子、電気泳動型表示素子または液晶表示素子により構成される。
【００１７】
本発明に係るカードホルダーの他の特定の局面では、前記ホルダー本体に設けられた前記アンテナと、ホルダー本体に保持されたＩＣカードのアンテナとの間に前記電源が配置されないように、前記ホルダー本体に前記アンテナが設けられている。
【００１８】
本発明に係るカードホルダーのさらに別の特定の局面では、前記ホルダー本体に設けられたアンテナと、前記ＩＣカードのアンテナとが、前記ＩＣカードがホルダー本体に保持された状態で対向し合うように、前記ホルダー本体に前記アンテナが設けられている。
【００１９】
本発明に係るカードホルダーのさらに他の特定の局面では、前記信号処理部がメモリを有し、前記ＩＣカード内に記録されている情報を読み出すに際し、前記信号処理部の前記メモリに情報の一部が一旦転送されるように構成されている。
【００２０】
本発明に係るカードホルダーのさらに他の特定の局面では、前記信号処理部の前記メモリに転送された情報の内、その情報が選択的に前記表示装置により表示されるように信号処理部が構成されている。
【００２１】
本発明に係るカードホルダーでは、好ましくは、前記ホルダー本体に、携帯用に孔が設けられている。
【発明の効果】
【００２２】
本発明に係るカードホルダーでは、ホルダー本体にＩＣカードが保持される。そして、ホルダー本体には、アンテナと信号処理部と、信号処理部により読み出された信号を表示する表示装置と、信号処理部及び表示装置を駆動するための電源とが備えられている。従って、ＩＣカードをホルダー本体に保持させた状態で、ＩＣカードに記録されている情報を、表示装置において表示することができる。よって、ユーザーは、駅などの専用の読み取り装置が設置されている場所に行かずとも、本発明のカードホルダーを用い、該カードホルダーにＩＣカードを保持させるだけで、ＩＣカード内の情報を直ちにかつ任意のときに知ることができる。
【００２３】
また、ＩＣカードがホルダー本体に保持されるため、ＩＣカードを保護することも可能となる。
【００２４】
さらに、随時ＩＣカード内の情報を表示させ得るだけでなく、複数のＩＣカードの情報を１つのカードホルダーで表示したり、ＩＣカード内の過去の履歴情報を表示させたりすることも可能となる。
【００２５】
ホルダー本体にＩＣカードが保持されている状態で、該ＩＣカード内の情報読み出し及び／または記録するリーダ・ライターとの間で情報の読み出し及び／または記録が行われるように、ホルダー本体にＩＣカードが保持されている場合には、ＩＣカードをカードホルダーに保持させたまま使用することができる。すなわち、カードホルダーからＩＣカードを取り出すことなく、ＩＣカードを用いることができる。従って、ＩＣカードの利便性が損なわれ難い。
【００２６】
表示装置が、ホルダー本体の外側の面に設けられている場合には、ＩＣカード内の情報を、ホルダー本体の外側の面を目視するだけで、容易に読み取ることができる。
【００２７】
表示装置が有機ＥＬ表示素子、電気泳動型表示素子または液晶表示素子である場合には、これらの表示素子は薄型に構成されるため、薄型のカードホルダーを容易に構成することができる。
【００２８】
ホルダー本体内に設けられた上記アンテナと、ホルダー本体に保持されたＩＣカードのアンテナとの間に、電源が配置されないようにホルダー本体内にアンテナが設けられている場合には、ホルダー本体のアンテナと、ＩＣカードのアンテナとの間でデータの送受信を確実に行うことができる。
【００２９】
特に、ホルダー本体内に設けられたアンテナと、ＩＣカードのアンテナとが、ＩＣカードがホルダー本体に保持された状態で対向し合うように配置されている場合には、ホルダー本体のアンテナとＩＣカードのアンテナとの間の送受信を確実に行うことができる。
【００３０】
信号処理部がメモリを有し、メモリにＩＣカード内の情報が一旦転送され、記録される場合には、ＩＣカードと通信を行わない状態においても、ＩＣカード内の情報をＩＣカードの情報を表示装置において表示させることができる。
【００３１】
また、信号処理部がメモリを有し、ＩＣカード内に記録されている情報を読み出すに際し、信号処理部のメモリに情報の一部が一旦転送されるように構成されている場合には、メモリに記録された信号を信号処理部により任意にかつ選択的に取り出し、表示させることができる。
【００３２】
特に、信号処理部が、メモリに転送された情報を選択的に表示装置において表示されるように構成されている場合には、ＩＣカードに記録されている情報の内、必要度の高い情報のみ、あるいは全ての情報を表示装置において表示させることができる。
【００３３】
ホルダー本体に携帯用に孔が設けられている場合には、孔にストラップまたはリングを通すことができ、ストラップやリングをカードホルダーに連結することができる。ＩＣカード自体には孔を開けることはできないので、本体に孔が設けられている場合、カードホルダーにＩＣカードを保持した状態での持ち運びに際しての利便性を効果的に高めることが可能となる。
【発明を実施するための最良の形態】
【００３４】
以下、本発明の具体的な実施形態を説明することにより、本発明を明らかにする。
【００３５】
図３は、本発明の第１の実施形態に係るカードホルダーを説明するための模式的平面図である。
【００３６】
図３に示すように、本実施形態のカードホルダー１は、ホルダー本体２を有する。ホルダー本体２は、図１に示す基板３を、図２に平面図で示すホルダー部材４に貼り合わせることにより得られている。
【００３７】
上記ホルダー本体２は、ＩＣカード１７よりも若干大きな外径寸法を有し、従って、容易に携帯可能な大きさとされている。
【００３８】
図１（ａ）に示す基板３は、ポリカーボネートなどの適宜の合成樹脂からなる板状の部材である。基板３は、保持されるＩＣカードよりも大きな平面形状を有する。図１では、基板３内に内蔵されている回路部分を模式的に示すが、実際には、回路部分は合成樹脂からなる基板３内に内蔵されている。
【００３９】
すなわち、基板３内には、外周縁近傍にアンテナコイル５が配置されている。アンテナコイル５は、適宜の導体を基板３の外周縁に沿った環状の形状となるように配置することにより形成されている。
【００４０】
アンテナコイル５に接続されるように、信号処理部６が形成されている。信号処理部６は、ＣＰＵ７と、ＲＯＭ８と、ＲＯＭ９と、ＥＥＰＲＯＭ１０と、コプロセッサ１１と、インターフェース１２とを有する。すなわち、信号処理部６は、メモリとして、ＲＯＭ８、ＲＡＭ９及びＥＥＰＲＯＭ１０を有する。本実施形態では、これらのメモリの一部に、ＩＣカード内の情報が一旦転送され、ＣＰＵ７により処理されるように構成されている。
【００４１】
他方、信号処理部６に電気的に接続されるように、駆動回路１３が内蔵されている。駆動回路１３は、有機ＥＬ表示素子１４を駆動するために設けられている。駆動回路１３にスイッチ１５が接続されている。スイッチ１５は、電源としてのバッテリー１６に電気的に接続されている。
【００４２】
上記有機ＥＬ表示素子１４からなる表示装置は、図１では明確ではないが、基板３の裏面、すなわち図１で図示されている面とは反対の面に表示画面が現れるように配置されている。
【００４３】
他方、スイッチ１５は、感圧スイッチなどの適宜のスイッチング素子により構成される。
【００４４】
バッテリー１６としては、例えば酸化銀電池、アルカリ電池、リチウム電池、リチウムイオン二次電池、ニッケル水素電池、ポリマー電池などを用いることができる。このようなバッテリー１６の厚みは、通常、１．６ｍｍ〜５．４ｍｍ程度であり、ＩＣカード自体に内蔵させるのは困難であるが、基板３の厚みはＩＣカードの厚みよりも厚くすることができるので、バッテリー１６を基板３に内蔵させることができる。
【００４５】
本実施形態では、上記基板３は、図２に平面図で示すホルダー部材４に貼り合わされている。ホルダー部材４は、基板３よりも若干大きな略矩形のベース部材４ａと、ベース部材４ａに対向するように、かつ一対の側縁近傍でベース部材４ａに接合された保持部材４ｂとを有する。ベース部材４ａの一端には、切欠４ｃが設けられている。切欠４ｃは、ＩＣカードの取り出しを容易とするために設けられている。
【００４６】
他方、ベース部材４ａには、開口４ｄが設けられている。開口４ｄは、基板３の裏面において露出している有機ＥＬ表示素子の表示画面に対向されており、ベース部材４ａの裏面側から表示画面を目視することを可能とするために設けられている。
【００４７】
保持部材４ｂは、ベース部材４ａの一対の側縁近傍に接合されているが、保持部材４ｂとベース部材４ａとは、隙間を隔てて対向されている。隙間が設けられている部分に、図１（ｂ）に示されているように、基板３が配置され、かつ基板３の裏面がベース部材４ａに貼り合わされて固定されている。このようにして、図３に示すカードホルダー１が構成されている。
【００４８】
使用に際しては、図４に略図的斜視図で示すように、ＩＣカード１７がカードホルダー１に挿入され、保持される。この場合、カードホルダー１では、保持部材４ｂと、ベース部材４ａとの間の隙間に、基板３が固定的に設けられているが、基板３と保持部材４ｂとの間になお隙間が存在し、この隙間にＩＣカード１７が挿入され、保持される。従って、好ましくは、ＩＣカード１７が挿入された状態で移動しないように保持されるように、上記隙間はＩＣカード１７の厚みと同等か重力等で簡単に移動しない程度に小さいことが望ましい。ＩＣカード１７がカードホルダー１に挿入された状態を、図５（ａ）及び（ｂ）に、それぞれ、平面図及び底面図で示す。
【００４９】
ＩＣカード１７は、リーダ及び／またはライターとの送受信を行うためのアンテナ１８を有する。アンテナ１８は、図４においては破線で示すこととする。
【００５０】
ＩＣカード１７がカードホルダー１に挿入された状態では、図４（ｂ）に示すように、ＩＣカード１７は、上記カードホルダー１の基板３上に載置されることになる。そして、基板３では、外周縁に環状のアンテナコイル５が配置されていたが、このアンテナコイル５が保持されているＩＣカード１７のアンテナ１８に対向するように、すなわちアンテナコイル５とアンテナ１８との間にバッテリー１６を含む回路部分が配置されないように、基板３が構成されている。
【００５１】
よって、ＩＣカード１７がカードホルダー１に挿入され保持されている状態において、ＩＣカード１７とカードホルダー１との間の送受信を確実に行うことが可能とされている。
【００５２】
このように、アンテナコイル５と保持されているＩＣカード１７のアンテナ１８とが回路部分を間に介在させることなく、対向されていることが好ましいが、両者の間に基板３内の回路部分の一部が介在していてもよい。
【００５３】
また、図５（ａ），（ｂ）から明らかなように、ＩＣカード１７がカードホルダー１に保持されている状態においては、ベース部材４ａの開口４ｄから、上記基板３の裏面に現れている有機ＥＬ表示素子の表示画面を目視することができる。そして、スイッチ１５を押圧し、信号処理部６及び駆動回路１３を駆動することにより、ＩＣカード１７に記録されているデータを有機ＥＬ表示素子１４に表示させることができる。従って、ユーザーは、例えば駅の専用装置が据えられている部分においてＩＣカード１７を挿入する必要はなく、カードホルダー１にＩＣカード１７を挿入し、保持しておけば、スイッチ１５をオン状態とすることにより、随時ＩＣカード１７内のデータを読み取ることができる。
【００５４】
また、本実施形態の信号処理部６のメモリに、ＩＣカード１７内の情報が一旦転送され記録されるように構成されている。従って、ＩＣカード１７と、カードホルダー１との間の送受信を遮断した状態においても、メモリに収納されていたＩＣカード１７内の情報を有機ＥＬ表示素子１４において表示させることができる。よって、例えばカードホルダー１から一旦ＩＣカード１７を抜き取った後においても、ＩＣカード１７内の情報を、有機ＥＬ表示素子１４により表示させることも可能である。
【００５５】
加えて、ＩＣカード１７には、使用可能残高だけでなく、履歴情報などの様々な情報が記録されている。カードホルダー１では、信号処理部６内のメモリに、ＩＣカード１７内の情報が一旦転送されるため、ＩＣカード１７内の様々な情報の内、特定の情報を選択的に、有機ＥＬ表示素子１４において表示させることも可能である。すなわち、使用可能残高だけでなく、履歴情報なども表示させることができる。
【００５６】
また、カードホルダー１内の信号処理部６内のメモリに、ＩＣカード１７の情報を記録させることができるように構成されている場合、複数枚のＩＣカード内の情報を、メモリに記録させ、有機ＥＬ表示素子１４において表示させることも可能である。
【００５７】
なお、本実施形態では、表示部は有機ＥＬ表示素子１４により構成されていたが、有機ＥＬ表示素子１４に代えて、電気泳動型の表示素子や液晶表示素子などの他の薄型の表示素子を用いてもよい。すなわち、本発明において、表示部を構成する表示素子は特に限定されるものではない。
【００５８】
また、信号処理部６は、上記のように、ＩＣカード内の情報を一旦転送し、記録するメモリを備えることが望ましいが、信号処理部６は、保持されているＩＣカードの情報を転送し、記録することなく、直ちに有機ＥＬ表示素子１４において表示し得るように構成されていてもよい。もっとも、好ましくは、上記のように信号処理部６において、ＩＣカード１７内のデータを一旦記録するように構成されていることが望ましい。
【００５９】
なお、スイッチ１５は感圧スイッチに限定されず、他のスイッチング素子により構成されてもよく、電源についてもバッテリー１６に限らず、太陽電池やその他の二次電池あるいはその他の外部電源などを用いてもよい。電源については、バッテリーの交換、あるいは充電が容易に行えるようにバッテリーカバー、あるいは充電用の端子を備えていてもよい。
【００６０】
なお、本実施形態では、基板３がベース部材４に貼り合わされ、ホルダー本体２が構成されていたが、ホルダー本体２は、一体の部材で構成されていてもよい。すなわち、ベース部材４ａに、直接、信号処理部６、駆動回路１３、有機ＥＬ表示素子１４、スイッチ１５及びバッテリー１６が内蔵されていてもよく、その場合には、ベース部材４ａとは別部材の基板３を用意する必要はない。
【００６１】
本実施形態では、ホルダー部材はポリカーボネート樹脂からなり、ベース部材４ａと保持部材４ｂとを有する。もっとも、ホルダー部材４は、ポリカーボネート以外の適宜の合成樹脂で構成され、その材料は特に限定されるものではない。
【００６２】
図６は、上記実施形態の変形例に係るカードホルダーにＩＣカードを挿入した状態を示す模式的平面図である。本変形例のカードホルダー２１は、ホルダー本体２２に、外周縁から外側に突出する突出片２３が設けられており、該突出片２３に貫通孔２３ａが設けられている。貫通孔２３ａは、リングやストラップを貫通させ得るように設けられている。従って、カードホルダー２１では、ストラップやリングを取り付け、携帯に際しての利便性を高めることが可能とされている。
【００６３】
また、本変形例では、ベース部材４ａに接合されている保持部材４ｂは、一対の帯状部４ｅ，４ｆを有し、帯状部４ｅ，４ｆ間に、開口部４ｇが設けられている。開口部４ｇは必ずしも設けられずともよいが、帯状部４ｅにスイッチ２４が、帯状部４ｆに有機ＥＬ表示素子２５が配置されている。すなわち、本実施形態では、表示部を構成する有機ＥＬ表示素子２５は、ＩＣカード１７が挿入されている表面側に配置されており、同じ面に配置されたスイッチ２４を押圧することにより、直ちに表面側からＩＣカード１７内のデータを目視により読み取ることが可能とされている。
【００６４】
なお、本変形例では、上記のように帯状部４ｅ，４ｆにスイッチ２４及び有機ＥＬ表示素子２５が配置されており、これらは、フラットコネクタ型のコネクタにより、ベース部材４ａに貼り合わされた基板内の信号処理部及び駆動回路（図示せず）に電気的に接続されている。そして、基板３Ａ内には、スイッチ及び表示部は設けられていない。
【００６５】
その他の点は、本変形例のＩＣカード２１は、第１の実施形態のＩＣカード１と同様に構成されている。
【図面の簡単な説明】
【００６６】
【図１】第１の実施形態において、ホルダー本体を構成している基板及び基板に内蔵されている回路部分を説明するための模式的平面図。
【図２】実施形態においてホルダー本体を構成しているホルダー部材を示す平面図。
【図３】実施形態のカードホルダーを示す略図的平面図。
【図４】第１の実施形態のカードホルダーにＩＣカードを保持させる工程を説明するための模式的斜視図。
【図５】（ａ）及び（ｂ）は、実施形態のカードホルダーにＩＣカードを挿入した状態を示す平面図及び低面図。
【図６】本発明の変形例のカードホルダーにＩＣカードが保持されている状態を示す平面図。
【符号の説明】
【００６７】
１…カードホルダー
２…ホルダー本体
３，３Ａ…基板
４…ホルダー部材
４ａ…ベース部材
４ｂ…保持部材
４ｃ…切欠
４ｄ…開口
４ｅ，４ｆ…帯状部
４ｇ…開口部
５…アンテナコイル
６…信号処理部
７…ＣＰＵ
８…ＲＯＭ
９…ＲＡＭ
１０…ＥＥＰＲＯＭ
１１…コプロセッサ
１２…インターフェース
１３…駆動回路
１４…有機ＥＬ表示素子
１５…スイッチ
１６…バッテリー
１７…ＩＣカード
１８…アンテナ
２１…カードホルダー
２２…ホルダー本体
２３…突出片
２３ａ…貫通孔
２４…スイッチ
２５…有機ＥＬ表示素子
【図１】
2007102280.tif 000003
【図２】
2007102280.tif 000004
【図３】
2007102280.tif 000005
【図４】
2007102280.tif 000006
【図５】
2007102280.tif 000007
【図６】
2007102280.tif 000008